(57)【特許請求の範囲】
【請求項１】
入賞領域を囲んだ形態の枠状部の左右両側に常時において当該入賞領域を閉鎖するように配置された一対の羽根と、当該入賞領域の底部にパチンコ玉が通過可能なＶゾーン及び通常入賞口とを備えたセンター役物と、
図柄を変動表示可能な図柄表示部と、
パチンコ玉が入賞可能な第１スタート入賞口及び第２スタート入賞口と、を遊技盤面に備え、
前記第１スタート入賞口へ入賞したときに抽選動作を実行するとともに、その抽選動作の結果が大当たりであったときには前記図柄表示部に特賞図柄を変動表示することにより第１特賞条件が成立して第１の特賞状態を発生する一方、
前記第１の特賞状態が発生していないことを条件として、前記第２スタート入賞口へ入賞したときに前記センター役物の一対の羽根の拡開動作を実行するとともに、その拡開動作中に前記入賞領域へ入賞したパチンコ玉が前記Ｖゾーンを通過することにより第２特賞条件が成立して第２の特賞状態を発生し、前記第２の特賞状態にある期間に前記第１特賞条件が成立したときには前記第２の特賞状態を強制的に終了させて第１の特賞状態へ切り替わる構成とされ、
前記第１の特賞状態にある期間に第１特賞信号、前記第２の特賞状態にある期間に第２特賞信号、前記図柄表示部が図柄を変動表示する毎に第１スタート信号、前記センター役物の一対の羽根の拡開動作を実行する毎に第２スタート信号をそれぞれ出力するパチンコ遊技機についての稼動データを管理対象とした遊技場用管理システムにおいて、
前記遊技機が前記第１の特賞状態に切り替わった各期間毎の稼動データを前記第１特賞信号を利用して集計する第１集計手段と、
前記遊技機が前記第２の特賞状態に切り替わった各期間毎の稼動データを前記第２特賞信号を利用して集計する第２集計手段と、
前記第２特賞信号の入力が終了したときに判定タイマを作動し、前記第２スタート信号及び前記第１特賞信号の何れかが入力したとき、又は所定時間が経過したときに当該判定タイマの作動を停止するとともに、前記第１特賞信号が入力したことにより当該判定タイマの作動を停止した場合には前記第２の特賞状態の無効化を検出する検出手段と、
前記第１集計手段及び第２集計手段による集計結果を基礎データとして第１の特賞状態及び第２の特賞状態の各１回当たりの平均稼動データを算出する演算手段とを備え、
前記演算手段は、前記検出手段が前記第２の特賞状態の無効化を検出したときには、前記第２集計手段による集計結果のうち当該無効化された第２の特賞状態に対応した集計結果を前記平均稼動データ算出時の基礎データから除外することを特徴とする遊技場用管理システム。
【請求項２】
前記管理対象の遊技機は、前記第２の特賞状態による遊技形態に比べて前記第１の特賞状態による遊技形態の方が遊技客側に有利な状態とされていることを特徴とする請求項１記載の遊技場用管理システム。
【発明の詳細な説明】
【技術分野】
【０００１】
本発明は、互いに異なる内容の第１特賞条件及び第２特賞条件が成立した各場合にそれぞれ独立した形態の第１の特賞状態及び第２の特賞状態に所定期間ずつ切り替わる遊技機、特には、第１の特賞状態にある期間に第２特賞条件が成立したときには第２の特賞状態を強制的に終了させて第１の特賞状態へ切り替わる構成とされた遊技機についての稼動データを管理対象とした遊技場用管理システムに関する。
【背景技術】
【０００２】
例えばパチンコ遊技機においては、所定の特賞条件が成立したときに入賞率を通常時より大幅に高めた特賞状態を所定期間だけ保持する構成のものが一般的になっている。従来では、この種のパチンコ遊技機についての稼動データを管理するための遊技場用管理システムとして、パチンコ遊技機が特賞状態にある期間の打込パチンコ玉数を集計して出力するものが提供されている（例えば特許文献１参照）。
【０００３】
また、近年では、特許文献２及び特許文献３などに見られるように、スタート入賞口へのパチンコ玉の入賞に応じて行われる抽選動作の結果が当たりであった場合に特賞状態（以下、これを第１種特賞状態と呼ぶ）を呈する第１種パチンコ遊技機（所謂セブン機）と、始動チャッカーへのパチンコ玉の入賞により羽根が短時間だけ開き、その中にあるＶゾーンにパチンコ玉が入賞したときに特賞状態（以下、これを第２種特賞状態と呼ぶ）を呈する第２種パチンコ遊技機（所謂ハネモノ）とを融合した形態のパチンコ遊技機が提案されている。
【特許文献１】特開２００１−１９０８１２号公報
【特許文献２】特開２０００−３３１４１号公報
【特許文献３】特開２００３−６２２１５号公報
【発明の開示】
【発明が解決しようとする課題】
【０００４】
一般的に、特賞状態の発生に伴い遊技者が獲得できるパチンコ玉数は、第２種パチンコ遊技機より第１種パチンコ遊技機のほうが多いという事情がある。このため、第１種パチンコ遊技機と第２種パチンコ遊技機とを融合した新しい形態のパチンコ遊技機を実現する場合、第２種パチンコ遊技機に対応した特賞状態が発生している期間に第１種パチンコ遊技機に対応した特賞状態が発生したときに、第２種パチンコ遊技機に対応した特賞状態を強制的に終了させる構成とを採用することが考えられている。これに対して、従来の遊技場用管理システムでは、このような構成が採用された新しい形態のパチンコ遊技機を管理対象とすることについて何も考慮されていない。従って、例えば、第２種パチンコ遊技機に対応した特賞状態の１回当たりの平均稼動データ（当該特賞状態が途中で無効化されることなく最後まで行われた場合の平均稼動データ）を算出する際に、その算出の基礎となるデータ中に途中で強制的に終了された特賞状態についてのデータも含まれることになるため、当該平均稼動データが不正確になるという問題点があった。
【０００５】
本発明は上記事情に鑑みてなされたものであり、その目的は、２種類の特賞状態が同時に発生可能で且つ一方の特賞状態が途中で強制的に無効化されることがある遊技機が管理対象であった場合でも、特賞状態１回当たりの平均稼動データを正確に集計できるようになる遊技場用管理システムを提供することにある。
【課題を解決するための手段】
【０００６】
請求項１記載の発明は、上記目的を達成するために入賞領域を囲んだ形態の枠状部の左右両側に常時において当該入賞領域を閉鎖するように配置された一対の羽根と、当該入賞領域の底部にパチンコ玉が通過可能なＶゾーン及び通常入賞口とを備えたセンター役物と、
図柄を変動表示可能な図柄表示部と、
パチンコ玉が入賞可能な第１スタート入賞口及び第２スタート入賞口と、を遊技盤面に備え、
前記第１スタート入賞口へ入賞したときに抽選動作を実行するとともに、その抽選動作の結果が大当たりであったときには前記図柄表示部に特賞図柄を変動表示することにより第１特賞条件が成立して第１の特賞状態を発生する一方、
前記第１の特賞状態が発生していないことを条件として、前記第２スタート入賞口へ入賞したときに前記センター役物の一対の羽根の拡開動作を実行するとともに、その拡開動作中に前記入賞領域へ入賞したパチンコ玉が前記Ｖゾーンを通過することにより第２特賞条件が成立して第２の特賞状態を発生し、前記第２の特賞状態にある期間に前記第１特賞条件が成立したときには前記第２の特賞状態を強制的に終了させて第１の特賞状態へ切り替わる構成とされ、
前記第１の特賞状態にある期間に第１特賞信号、前記第２の特賞状態にある期間に第２特賞信号、前記第１スタート入賞口へ入賞したときに第１スタート信号、前記第２スタート入賞口へ入賞したときに第２スタート信号をそれぞれ出力するパチンコ遊技機についての稼動データを管理対象とした遊技場用管理システムにおいて、
前記遊技機が前記第１の特賞状態に切り替わった各期間毎の稼動データを前記第１特賞信号を利用して集計する第１集計手段と、
前記遊技機が前記第２の特賞状態に切り替わった各期間毎の稼動データを前記第２特賞信号を利用して集計する第２集計手段と、
前記第２特賞信号の入力が終了したときに判定タイマを作動し、前記第２スタート信号及び前記第１特賞信号の何れかが入力したとき、又は所定時間が経過したときに当該判定タイマの作動を停止するとともに、前記第１特賞信号が入力したことにより当該判定タイマの作動を停止した場合には前記第２の特賞状態の無効化を検出する検出手段と、
前記第１集計手段及び第２集計手段による集計結果を基礎データとして第１の特賞状態及び第２の特賞状態の各１回当たりの平均稼動データを算出する演算手段とを備え、
前記演算手段は、前記検出手段が前記第２の特賞状態の無効化を検出したときには、前記第２集計手段による集計結果のうち当該無効化された第２の特賞状態に対応した集計結果を前記平均稼動データ算出時の基礎データから除外する構成としたものである。
【０００７】
この場合、請求項２記載の発明のように、前記管理対象の遊技機は、前記第２の特賞状態による遊技形態に比べて前記第１の特賞状態による遊技形態の方が遊技客側に有利な状態とされたものであることが望ましい。
【発明の効果】
【０００８】
請求項１記載の発明によれば、遊技機は、第２の特賞状態にある期間に第１特賞条件が成立したときには、第２の特賞状態がその途中で強制的に終了されて第１の特賞状態に切り替わる。一方、第１集計手段は、遊技機が第１の特賞状態に切り替わった各期間毎の稼動データを、遊技機が第１の特賞状態にある期間に出力される第１特賞信号に基づいて集計する。また、第２集計手段は、遊技機が第２の特賞状態に切り替わった各期間毎の稼動データを、遊技機が第２の特賞状態にある期間に出力される第２特賞信号に基づいて集計する。さらに、演算手段は、このような第１の集計手段及び第２の集計手段による集計結果を基礎データとして第１の特賞状態及び第２の特賞状態の各１回当たりの平均稼動データを算出する。
【０００９】
この場合、前述したように、第２の特賞状態にある期間中に第１特賞条件が成立したときには、第２の特賞状態がその途中で強制的に終了されることになる。従って、第２の特賞状態１回当たりの平均稼動データを算出する際の前記基礎データ中には、途中で強制的に終了された第２の特賞状態についてのデータも含まれることになるため当該平均稼動データが不正確になる。
【００１０】
これに対して、請求項１記載の発明では、第１特賞信号及び第２特賞信号に基づいて上述のような第２の特賞状態の無効化を検出する検出手段が設けられており、前記演算手段は、第２の特賞状態の無効化が検出されたときに、当該無効化された特賞状態にある期間中における前記第２集計手段の集計結果を上述した平均稼動データ算出時の基礎データから除外する構成とされているから、無効化されることなく最後まで行われた第２の特賞状態１回当たりの平均稼動データを正確に集計できるようになる。
【発明を実施するための最良の形態】
【００１１】
以下、本発明パチンコホール用管理システムに適用した一実施例について図面を参照しながら説明する。
図２にはパチンコ遊技機の正面外観が概略的に示されている。この図２において、パチンコ遊技機１は、その上皿２内のパチンコ玉を電動式の玉発射機構（操作ダイヤルのみ符号３を付して示す）により盤面４へ発射する構成となっている。盤面４には、アウト口５、第１スタート入賞口６、第２スタート入賞口７ａ及び７ｂ、一般的にアタッカーと呼ばれている電動役物８ａを備えた大型入賞口８、複合役物９が設けられていると共に、図示しない通常入賞口も設けられている。
【００１２】
複合役物９は、第２種パチンコ遊技機（所謂ハネモノ）の機能を実現するためのセンター役物１０内に、第１種パチンコ遊技機（所謂セブン機）の機能を実現するための図柄表示部１１を配置した構成となっている。
この場合、センター役物１０は、入賞領域を囲んだ形態の枠状部１０ａの左右両側に常時において当該入賞領域を閉鎖するように配置された一対の羽根１０ｂを備えており、その羽根１０ｂが図中に二点鎖線で示すように拡開されたときに入賞領域へのパチンコ玉の入賞が可能な状態となる。また、入賞領域の底部は、中央部に形成されたＶゾーン１０ｃ（特定領域に相当）と当該Ｖゾーン１０ｃ以外の部分を占める通常入賞口１０ｄとに区分されており、そのＶゾーン１０ｃをパチンコ玉が通過したときに本発明でいう第２特賞条件が成立する。
【００１３】
即ち、センター役物１０にあっては、第２スタート入賞口７ａ或いは７ｂにパチンコ玉が入賞したときに羽根１０ｂを短時間（例えば１秒）だけ拡開する動作を実行する構成となっており、その拡開期間に枠状部１０ａにより囲まれた入賞領域に入賞したパチンコ玉がＶゾーン１０ｃを通過した場合に第２特賞条件が成立することになる。この第２特賞条件が成立した状態では、羽根１０ｂが比較的長い時間ずつ所定回数だけ拡開されるものであり、これに応じて入賞領域への入賞率が通常時より大幅に高められた大当たり状態（第２の特賞状態に相当：以下これを第２種特賞状態と呼ぶ）を呈する。尚、上記第２種特賞状態にある期間には、第２スタート入賞口７ａ或いは７ｂにパチンコ玉が入賞した場合でも羽根１０ｂの短時間拡開動作が行われることはない。
【００１４】
一方、図柄表示部１１は、第１スタート入賞口６へのパチンコ玉の入賞に応じて行われる所定確率の抽選動作の結果を表示するためのもので、図２では、３桁の数字列より成るルーレットを表示する例が示されている。即ち、図柄表示部１１は、第１スタート入賞口６へのパチンコ玉の入賞に応じてルーレットの変動表示（本実施例の場合、数字列の各桁の「０」〜「９」の範囲での変動表示）を開始するものであり、上記抽選動作の結果が大当たりであったときにはその変動終了時点で数字列が「１１１」、「２２２」、…のようなぞろ目図柄（特賞図柄）となるように制御される。
【００１５】
このようにぞろ目図柄が表示された状態が本発明でいう第１特賞条件が成立した状態に相当する。そして、第１特賞条件が成立したときには、大型入賞口８の電動役物８ａ（アタッカー）が予め決められたモードにて所定期間だけ開放され、以て当該入賞口８への入賞率が極端に高められた大当たり状態（第１の特賞状態に相当：以下これを第１種特賞状態と呼ぶ）を呈するものである。
【００１６】
この場合、本実施例におけるパチンコ遊技機１は、上述した第１種特賞状態及び第２種特賞状態が同時に発生しない構成となっている。具体的には、第２種特賞状態にあるときに第１特賞条件が成立したときには、第２種特賞状態を強制的に終了させて第１種特賞状態へ切り替わる構成となっている。また、第１種特賞状態が発生している期間には、第２スタート入賞口７ａ或いは７ｂにパチンコ玉が入賞しても羽根１０ｂの短時間拡開動作が行われない構成（第２特賞条件が成立し得ない構成）となっている。
【００１７】
尚、第１スタート入賞口６へのパチンコ玉の入賞が、図柄表示部１１の変動表示期間、第１種特賞状態にある期間及び第２種特賞状態にある期間に発生した各場合には、その入賞に応じた抽選結果が一時的に記憶されると共に、このように記憶された抽選結果の表示動作が図柄表示部１１の変動表示或いは特賞状態の終了を待って行われる構成となっている。また、抽選結果の一時的な記憶数（所謂保留玉数）は所定の上限値（例えば「４」）に制限されており、このような保留玉数を表示するために、図柄表示部１１の上方に発光ダイオードを利用した保留玉表示部１１ａが設けられている。さらに、第１種特賞状態にある期間における平均的な放出パチンコ玉数は例えば２０００個程度に設定され、第２種特賞状態にある期間における平均的な放出パチンコ玉数は例えば５００〜６００個程度に設定されている。つまり、パチンコ遊技機１においては、第２種特賞状態による遊技形態に比べて第１種特賞状態よる遊技形態の方が遊技客側に有利になる。
【００１８】
また、パチンコ遊技機１には、以下に述べるような各信号を外部へ出力する機能が設けられている。
即ち、パチンコ遊技機１は、打込パチンコ玉数を示すアウト玉数信号、並びに賞球として払い出されたパチンコ玉の数を示すセーフ玉数信号を出力する構成となっている。また、パチンコ遊技機１は、図柄表示部１１による図柄変動動作の実行（以下、これを第１スタートと呼ぶ）毎に第１スタート信号を出力し、第２スタート入賞口７ａ或いは７ｂへのパチンコ玉の入賞に応じた羽根１０ｂの短時間拡開動作の実行（以下、これを第２スタートと呼ぶ）毎に第２スタート信号を出力する構成となっており、さらに、第１種特賞状態及び第２種特賞状態にある各期間に第１特賞信号及び第２特賞信号をそれぞれ出力する構成となっている。
【００１９】
ここで、本実施例のパチンコ遊技機１は、第１種特賞状態にある期間中を通じて第１特賞信号を継続的に出力すると共に、第２種特賞状態にある期間中を通じて第２特賞信号を継続的に出力する構成となっている。つまり、図３には、パチンコ遊技機１において、第２種特賞状態が２回連続して発生し、且つ２回目の第２種特賞状態にある期間の途中で第１特賞条件が成立した場合における第１特賞信号及び第２特賞信号の出力タイミングが例示されている。この図３から理解できるように、第１及び第２特賞信号は、それぞれパチンコ遊技機１が第１種特賞状態及び第２種特賞状態にある各期間を通じて出力されるものであるが、第２種特賞状態にある期間中に第１特賞条件が成立したときには、第２種特賞状態の無効化に応じて第２特賞信号が出力停止されると共に第１特賞信号が出力開始されることになる。
【００２０】
さて、図１には、本実施例によるパチンコホール用管理システムの概略的構成が本発明の要旨に関係した部分のみ示されている。この図１において、パチンコホール内に多数台ずつ設置されたパチンコ遊技機１及び台間玉貸機１２は、互いの間で信号の授受を行い得るように構成されている。パチンコ遊技機１の上方には呼出ランプユニット１３が設けられており、当該パチンコ遊技機１は、呼出ランプユニット１３を介して入出力装置１４と接続され、台間玉貸機１２はパチンコ遊技機１及び呼出ランプユニット１３を介して入出力装置１４に接続されている。尚、パチンコ遊技機１から入出力装置１４には、前述した第１特賞信号、第２特賞信号、第１スタート信号、第２スタート信号、セーフ玉数信号、アウト玉数信号などが出力される。
【００２１】
台間玉貸機１２は、プリペイドカード挿入口１２ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この台間玉貸機１２には、例えば液晶パネルより成る入力機能付きの表示パネル１２ｂが斜め前方側（手前側）へ突出した状態で設けられており、この表示パネル１２ｂにより種々のデータを表示できるようになっている。また、表示パネル１２ｂの画像表示面には、マトリクス型に構成された透明状タッチパネルスイッチが設けられており、これを通じて種々の入力操作を行い得る構成となっている。尚、各台間玉貸機１２から入出力装置１４には、プリペイドカードによる売上を示す売上信号などが出力される。
【００２２】
呼出ランプユニット１３は、複数の表示ランプ１３ａ、例えば液晶パネルより成る表示部１３ｂ、呼出ボタン１３ｃなどを備えた周知構成のもので、呼出ボタン１３ｃの操作に伴う呼び出し状態の表示機能、対応するパチンコ遊技機１で発生した特賞状態などを表示する機能、パチンコ遊技機１での稼動データ（特賞発生回数など）を表示する機能、パチンコ遊技機１及び台間玉貸機１２のためのデータ入出力インタフェースの機能などを備えている。
【００２３】
入出力装置１４は、店内ＬＡＮ１５に接続されており、この店内ＬＡＮ１５には、パチンコホールの管理事務所内に設置された管理コンピュータ１６（第１集計手段、第２集計手段、検出手段、演算手段に相当）が接続されている。また、図示しないが、店内ＬＡＮ１５には、景品交換カウンタに設置されたＰＯＳ端末及び島端に設置されたパチンコ玉計数機なども接続される。
【００２４】
管理コンピュータ１６は、パチンコ遊技機１及び台間玉貸機１２から出力される種々の信号（アウト玉数信号、セーフ玉数信号、第１スタート信号、第２スタート信号、第１特賞信号、第２特賞信号、売上信号など）に基づいて、パチンコ遊技機１についての稼動データ（アウト玉数、セーフ玉数、差玉数、稼動率、出玉率、ベース、センター役物１０及び図柄表示部１１の各スタート回数、第１種特賞状態及び第２種特賞状態の各発生回数など）、第１種特賞状態及び第２種特賞状態の各１回当たりの平均稼動データ、並びに台間玉貸機１２についての貸出高データ（売上金額、割数など）を集計して格納する機能を備えた構成となっている。
【００２５】
図４〜図６には、管理コンピュータ１６による制御内容のうち、本発明の要旨に関連したデータ集計機能に関係した部分が示され、また、図７及び図８には、管理コンピュータ１６による集計データのうち、１台のパチンコ遊技機１についての特賞履歴データ及び累計稼動データを帳票出力する際のフォーマット例が示されており、以下これらについて説明する。尚、以下の説明で使用する略号の意味は下記の通りである。
【００２６】
１Ｓ：第１スタート回数（図柄表示部１１の図柄変動動作の実行回数）、
２Ｓ：第２スタート回数（第２スタート入賞口７ａ或いは７ｂへのパチンコ玉の入賞に応じた羽根１０ｂの短時間拡開動作の回数）、
１Ｔ：第１種特賞回数（第１種特賞状態の発生回数）、
２Ｔ：第２種特賞回数（第２種特賞状態の発生回数）、
１ＴＯ：第１種特賞中アウト（第１種特賞状態中のアウト玉数）、
１ＴＯav．：第１種特賞中平均アウト（１ＴＯの累計値を第１種特賞状態の発生回数で除算した値、つまり第１種特賞状態１回当たりの平均アウト玉数）、
２ＴＯ：第２種特賞中アウト（第２種特賞状態中のアウト玉数）、
２ＴＯav．：第２種特賞中平均アウト（２ＴＯの累計値を第２種特賞状態の発生回数で除算した値、つまり第２種特賞状態１回当たりの平均アウト玉数）、
１ＴＹ：第１大当たり出玉（第１種特賞状態中の差玉数）、
１ＴＹav．：第１大当たり平均出玉（１ＴＹの累計値を第１種特賞状態の発生回数で除算した値、つまり第１種特賞状態１回当たりの平均差玉数）、
２ＴＹ：第２大当たり出玉（第２種特賞状態中の差玉数）、
２ＴＹav．：第２大当たり平均出玉（２ＴＹの累計値を第２種特賞状態の発生回数で除算した値、つまり第２種特賞状態１回当たりの平均差玉数）、
ＴＴＹ：合算大当たり出玉（第２種特賞状態中に第１種特賞状態が発生した場合の１ＴＹ＋２ＴＹ）、
ＴＴＹav．：合算大当たり平均出玉（ＴＴＹの累計値を、第２種特賞状態中に第１種特賞状態が発生した回数で除算した値、つまり第２種特賞状態中に第１種特賞状態が発生した状態１回当たりの（１ＴＹ＋２ＴＹ）の平均値）、
２ＴＩＮ：特賞無効化回数（第２種特賞状態が途中で無効化された回数）。
【００２７】
また、管理コンピュータ１６が集計する特賞履歴データは、図７に示すように、第１スタート回数１Ｓ、第２スタート回数２Ｓ、第１種特賞中アウト１ＴＯ、第２種特賞中アウト２ＴＯ、第１大当たり出玉１ＴＹ、第２大当たり出玉２ＴＹ、合算大当たり出玉ＴＴＹを組み合わせたデータであり、図７の例では、パチンコ遊技機１の台番号と対応付けた状態で、通し番号「１」から「８」までの８組の特賞履歴データがその通し番号順に並べられた状態が示されている。
【００２８】
この図７において、通し番号「１」〜「８」に対応したデータは、それぞれ以下のようなケースで出力される特賞履歴データを示すものである。
通し番号「１」、「４」、「７」…途中で無効化されることなく最後まで実行された第２種特賞状態についての特賞履歴データ（但し、第１種特賞状態に関連した第１スタート回数１Ｓも参考データとして含まれる）、
通し番号「２」、「５」…途中で無効化された第２種特賞状態についての特賞履歴データ（但し、第１種特賞状態に関連した第１スタート回数１Ｓも参考データとして含まれる、また、「*」は第２種特賞状態が途中で無効化されたことを示す）、
通し番号「３」、「６」…第２種特賞状態の無効化原因となった第１種特賞状態についての特賞履歴データ（但し、第１大当たり出玉１ＴＹと直前に無効化された第２種特賞状態についての第２大当たり出玉２ＴＹとを合計した合算大当たり出玉ＴＴＹも参考データとして含まれる）、
通し番号「８」…第２種特賞状態にない期間に単独で発生した第１種特賞状態についての特賞履歴データ。
【００２９】
さらに、管理コンピュータ１６が集計する累計稼動データは、当日の営業開始時点からの稼動データをパチンコ遊技機１毎に累計したデータであり、図８に示すように、第１スタート回数１Ｓ、第２スタート回数２Ｓ、第１種特賞回数１Ｔ、第２種特賞回数２Ｔ、特賞無効化回数２ＴＩＮの各累計値と、第１種特賞中平均アウト１ＴＯav．、第２種特賞中平均アウト２ＴＯav．、第１大当たり平均出玉１ＴＹav．、第２大当たり平均出玉２ＴＹav．、合算大当たり平均出玉ＴＴＹav．とを組み合わせたデータである。
【００３０】
図４には、管理コンピュータ１６による稼動データの集計処理ルーチンの内容が示されている。この図４において、管理コンピュータ１６は、第２特賞信号、第１特賞信号、第２スタート信号、第１スタート信号の各入力の有無を判断するステップＡ１、Ａ３、Ａ５、Ａ９を順次実行するという待機ループを形成する。
この待機ループ形成状態から第２特賞信号が入力されたとき（ステップＡ１で「ＹＥＳ」）には、図５に具体的内容を示す第２特賞信号入力時処理ルーチンＡ２を実行した後に当該待機ループへ戻る。
【００３１】
第２特賞信号入力時処理ルーチンＡ２では、図５に示すように、まず、第２種特賞回数２Ｔを「１」だけインクリメントし（ステップＢ１）、この後に前回の特賞終了時点から現在時点までの第１スタート回数１Ｓ及び第２スタート回数２Ｓ（これらは後述の説明から明らかなように第１スタート信号及び第２スタート信号の各入力毎にインクリメントされるデータである）を特賞履歴データとして記録するステップＢ２を実行した後に、第２特賞信号の入力が終了したか否かを判断する（ステップＢ３）。尚、第１スタート回数１Ｓ及び第２スタート回数２Ｓは、上記ステップＢ２の実行に伴い初期化される構成となっている。
【００３２】
ステップＢ３において「ＮＯ」と判断される期間、つまり、第２特賞信号の入力が終了していない期間には、第２種特賞中アウト２ＴＯ、第２大当たり出玉２ＴＹを集計するステップＢ４及び第１スタート信号が入力された否かを判断するステップＢ５を反復実行する。このとき、当該ステップＢ５で「ＹＥＳ」と判断したときには第１スタート回数１Ｓを「１」だけインクリメントする（ステップＢ６）。
【００３３】
これに対して、ステップＢ３において「ＹＥＳ」と判断された場合、つまり第２特賞信号の入力が終了した場合には、ステップＢ４での第２種特賞中アウト２ＴＯ、第２大当たり出玉２ＴＹの最終的な集計結果を特賞履歴データとして記録するステップＢ７、タイマ時間が例えば３０秒程度に設定された判定タイマをスタートさせるステップＢ８を順次実行した後にリターンする。
【００３４】
要するに、第２特賞信号入力時処理ルーチンＡ２は、第２特賞信号の入力に応じて開始され、その後に当該第２特賞信号の入力が終了するまでの期間だけ継続されるものであり、その開始に応じて第２種特賞状態の発生回数を示す第２種特賞回数２Ｔが「１」だけインクリメントされる。また、当該処理ルーチンＡ２の開始後には、前回の特賞状態終了後から第２種特賞状態が発生するまでの間の第１スタート回数１Ｓ及び第２スタート回数２Ｓが特賞履歴データとして記録される。さらに、第２特賞信号入力時処理ルーチンＡ２では、第２特賞信号が入力開始されてから入力終了するまでの期間における第２種特賞中アウト２ＴＯ、第２大当たり出玉２ＴＹを集計する処理及び第１スタート回数１Ｓをインクリメントする処理が行われ、その処理終了時には、判定タイマがスタートされるものである。尚、この判定タイマは、後述の説明から理解できるように第２種特賞状態の無効化の有無を判定するために利用される。
【００３５】
図４に戻って、ステップＡ１、Ａ３、Ａ５、Ａ９を順次実行する前記待機ループ形成状態から第１特賞信号が入力されたとき（ステップＡ３で「ＹＥＳ」）には、図６に具体的内容を示す第１特賞信号入力時処理ルーチンＡ４を実行した後に当該待機ループへ戻る。第１特賞信号入力時処理ルーチンＡ４では、図６に示すように、まず、第１種特賞回数１Ｔを「１」だけインクリメントし（ステップＣ１）、この後に前回の特賞終了時点から現在時点までの第１スタート回数１Ｓ及び第２スタート回数２Ｓを特賞履歴データとして記録する（ステップＣ２）。尚、第１スタート回数１Ｓ及び第２スタート回数２Ｓは、上記ステップＣ３の実行に伴い初期化される構成となっている。
【００３６】
次いで、前記判定タイマが作動中か否かを判断する（ステップＣ３）。ここで、後述するように、判定タイマは、その作動状態において第２スタート信号が入力されたときに停止される構成となっているが、第２種特賞状態にある期間に第１種特賞状態が発生したときには、パチンコ遊技機１から第２スタート信号が出力されることがないため、そのタイマ動作を継続した状態にあるはずである。つまり、ステップＣ３の実行時点で判定タイマが作動している状態は、前記第２特賞信号入力時処理ルーチンＡ２が第１特賞信号の入力に伴い終了された状態（第２種特賞状態にある期間に第１種特賞状態が発生して第２種特賞状態が無効化された状態）に相当することになる。従って、判定タイマの作動の有無により、第２種特賞状態が途中で無効化されたか否かを判断できるようになる。
【００３７】
そして、判定タイマが作動中でなかった場合（第２種特賞状態にない通常期間に第１種特賞状態が発生した場合）には、第１特賞信号の入力が終了したか否かを判断するためのステップＣ６へ移行する。これに対して、判定タイマが作動中であった場合（第２種特賞状態が発生している期間に第１種特賞状態が発生して当該第２種特賞状態が無効化された場合）には、当該判定タイマを停止させる（ステップＣ４）。
【００３８】
この後には、前記第２特賞信号入力時処理ルーチンＡ２におけるステップＢ２及びＢ７でそれぞれ記録された第１スタート回数１Ｓ、第２スタート回数２Ｓ及び第２種特賞中アウト２ＴＯ、第２大当たり出玉２ＴＹを含む特賞履歴データに属する合算大当たり出玉ＴＴＹに対し、第２種特賞状態が無効化されたことを示す属性データ（*）を記録するステップＣ５を実行した後に、前記ステップＣ６へ移行する。
【００３９】
ステップＣ６において「ＮＯ」と判断される期間、つまり、第１特賞信号の入力が終了していない期間には、第１種特賞中アウト１ＴＯ、第１大当たり出玉１ＴＹを集計するステップＣ７を反復実行する。これに対して、ステップＣ６において「ＹＥＳ」と判断された場合、つまり第１特賞信号の入力が終了した場合には、ステップＣ７での第１種特賞中アウト１ＴＯ、第１大当たり出玉１ＴＹの最終的な集計結果を特賞履歴データとして記録する（ステップＣ８）。
【００４０】
次いで、前記第２特賞信号入力時処理ルーチンＡ２におけるステップＢ２及びＢ７で記録した特賞履歴データに属する合算大当たり出玉ＴＴＹに前記属性データ（*）の記録があるか否か（つまり、前記ステップＣ５が実行されたか否か）を判断する（ステップＣ９）。属性データ（*）の記録がない場合にはそのままリターンするが、当該記録がある場合には、ステップＣ８で記録した第１大当たり出玉１ＴＹと第２特賞信号入力時処理ルーチンＡ２におけるステップＢ７で記録した第２大当たり出玉２ＴＹとの合計結果である合算大当たり出玉ＴＴＹを特賞履歴データとして記録するステップＣ１０を実行した後にリターンする。
【００４１】
要するに、第１特賞信号入力時処理ルーチンＡ４は、第１特賞信号の入力に応じて開始され、その後に当該第１特賞信号の入力が終了するまでの期間だけ継続されるものであり、その開始に応じて第１種特賞状態の発生回数を示す第１種特賞回数１Ｔが「１」だけインクリメントされる。また、当該入力時処理ルーチンＡ４の開始に応じて、前回の特賞状態終了後から第１種特賞状態が発生するまでの間の第１スタート回数１Ｓ、第２スタート回数２Ｓが特賞履歴データとして記録される。
【００４２】
一方、第１特賞信号入力時処理ルーチンＡ４の開始時点において判定タイマが作動中であった場合（第１種特賞状態が発生に応じて第２種特賞状態が無効化された場合に相当）には、その判定タイマが停止されると共に、無効化された第２種特賞状態についての特賞履歴データに属する合算大当たり出玉ＴＴＹに対し第２種特賞状態が無効化されたことを示す属性データ（*）が記録される。
【００４３】
さらに、第１特賞信号が入力開始されてから入力終了するまでの期間における第１種特賞中アウト１ＴＯ、第１大当たり出玉１ＴＹを集計する処理が行われ、その期間終了時には、第１種特賞中アウト１ＴＯ、第１大当たり出玉１Ｙの最終的な集計結果が特賞履歴データとして記録される。また、上記属性データ（*）の記録がある場合には、上記第１大当たり出玉１ＴＹと第２特賞信号入力時処理ルーチンＡ２において記録した第２大当たり出玉２ＴＹとの合計結果である合算大当たり出玉ＴＴＹを特賞履歴データとして記録する。
【００４４】
図４に戻って、ステップＡ１、Ａ３、Ａ５、Ａ９を順次実行する待機ループの実行状態で第２スタート信号が入力されたとき（ステップＡ５で「ＹＥＳ」）には、第２スタータ回数２Ｓを「１」だけインクリメントするステップＡ６を実行した後に、判定タイマが作動中か否かを判断する（ステップＡ７）。判定タイマが作動中であった場合には、そのタイマ動作を停止させるステップＡ８を実行した後に上記待機ループへ戻る。また、その待機ループの実行状態で第１スタート信号が入力されたとき（ステップＡ９で「ＹＥＳ」）には、第１スタート回数１Ｓを「１」だけインクリメントするステップＡ１０を実行した後に待機ループへ戻る。
【００４５】
要するに、上記図４〜図６のような制御が行われる結果、以下に述べるような特賞履歴データが記録されることになる。
即ち、第２特賞信号入力時処理ルーチンＡ２においては、
（１）第２種特賞状態が途中で無効化されなかった場合…
ステップＢ２で記録された第１スタート回数１Ｓ、第２スタート回数２Ｓと、ステップＢ７で記録された第１種特賞中アウト１ＴＯ、第２大当たり出玉２ＴＹとを組み合わせた特賞履歴データ（図７の例では、通し番号「１」、「４」、「７」に対応した特賞履歴データ）、
（２）第１種特賞状態の発生に応じた第２種特賞状態の無効化があった場合…
ステップＢ２で記録された第１スタート回数１Ｓ、第２スタート回数２Ｓと、ステップＢ７で記録された第１種特賞中アウト１ＴＯ、第２大当たり出玉２ＴＹと、第１特賞信号入力時処理ルーチンＡ４のステップＣ５で記録された属性データ（*）とを組み合わせた特賞履歴データ（図７の例では、通し番号「２」、「５」に対応した特賞履歴データ）、
が記録される。
【００４６】
また、第１特賞信号入力時処理ルーチンＡ４においては、
（１）第２種特賞状態にない通常期間に第１種特賞状態が発生した場合…
ステップＣ２で記録された第１スタート回数１Ｓ、第２スタート回数２ＳとステップＣ８で記録された第１種特賞中アウト１ＴＯ、第１大当たり出玉１ＴＹとを組み合わせた特賞履歴データ（図７の例では、通し番号「８」に対応した特賞履歴データ）、
（２）（第２種特賞状態が発生している期間に第１種特賞状態が発生して当該第２種特賞状態が無効化された場合…
ステップＣ２で記録された第１スタート回数１Ｓ、第２スタート回数２Ｓと、ステップＣ８で記録された第１種特賞中アウト１ＴＯ、第１大当たり出玉１ＴＹと、ステップＣ１０で記録された合算大当たり出玉ＴＴＹとを組み合わせた特賞履歴データ（図７の例では、通し番号「３」、「６」に対応した特賞履歴データ）、
が記録される。
【００４７】
そして、管理コンピュータ１６では、このように記録された特賞履歴データに基づいて図８に示すような累計稼動データを算出するものであるが、特に、第２種特賞状態に係る平均稼動データである第２種特賞中平均アウト２ＴＯav．及び第２大当たり平均出玉２ＴＹav．を算出する際には、途中で無効化された第２種特賞状態についての稼動データ（図７の通し番号「２」、「５」に対応した特賞履歴データ中の第２種特賞中アウト２ＴＯ、第２大当たり出玉２ＴＹ）を、平均稼動データ演算のための基礎データから除外する構成となっている。
【００４８】
上記した本実施例によれば以下に述べるような作用・効果を奏することができる。即ち、パチンコ遊技機１は、第２種特賞状態にある期間に第１特賞条件（図柄表示部１１にぞろ目図柄が表示された状態）が成立したときには、当該第２種特賞状態がその途中で強制的に終了されて第１種特賞状態に切り替わる。
一方、管理コンピュータ１６は、パチンコ遊技機１が第１種特賞状態にある期間に出力される第１特賞信号に基づいて、当該遊技機１が第１種特賞状態に切り替わった各期間毎の稼動データを集計すると共に、パチンコ遊技機１が第２種特賞状態にある期間に出力される第２特賞信号に基づいて、当該遊技機１が第２種特賞状態に切り替わった各期間毎の稼動データを集計する。さらに、管理コンピュータ１６は、これらの集計結果を基礎データとして第１種特賞状態及び第２種特賞状態の各１回当たりの平均稼動データ（第１種特賞中平均アウト１ＴＯav．、第２種特賞中平均アウト２ＴＯav．、第１大当たり平均出玉１ＴＹav．、第２大当たり平均出玉２ＴＹav．、合算大当たり平均出玉ＴＴＹav．）を算出する。
【００４９】
この場合、前述したように、第２種特賞状態にある期間中に第１特賞条件が成立したときには、第２種特賞状態がその途中で強制的に終了されて第１種特賞状態に切り替わることになる。従って、第２種特賞状態１回当たりの平均稼動データ（第２種特賞中平均アウト２ＴＯav．、第２大当たり平均出玉２ＴＹav．）を算出する際の前記基礎データ中には、途中で強制的に終了された第２種特賞状態についてのデータも含めた場合には、当該平均稼動データが不正確になる。
【００５０】
これに対して、本実施例では、管理コンピュータ１６に対して、第１特賞信号及び第２特賞信号に基づいて上述のような第２種特賞状態の無効化を検出する検出手段の機能と、第２種特賞状態の無効化が検出されたときに、当該無効化された特賞状態にある期間中における稼動データ（第２種特賞中アウト２ＴＯ、第２大当たり出玉２ＴＹ）の集計結果を上述した平均稼動データ算出時の基礎データから除外する演算手段の機能とが付与されているから、無効化されることなく最後まで行われた第２種特賞状態１回当たりの平均稼動データを正確に集計できるようになる。
【００５１】
また、本実施例によるパチンコ遊技機１は、第２種特賞状態による遊技形態に比べて第１種特賞状態よる遊技形態の方が遊技客側に有利な状態とされているから、第２種特賞状態が途中で無効化された場合に遊技客側の不満が高まる恐れがなくなる。
その他、本発明は上記し且つ図面に示した実施例に限定されるものではなく、例えば以下に述べるような変形或いは拡大が可能である。
【００５２】
上記実施例では、第１の特賞状態の例として第１種パチンコ遊技機に対応した特賞状態（第１種特賞状態）を挙げると共に、第２の特賞状態の例として第２種パチンコ遊技機に対応した特賞状態（第２種特賞状態）を挙げたが、これに限られるものでない。例えば、本実施例でいうところの第１種特賞状態を第２の特賞状態とすると共に、同第２種特賞状態を第１の特賞状態とする構成や、第３種パチンコ遊技機（所謂権利物）に設定された特賞状態を第１の特賞状態或いは第２の特賞状態として適用する構成など、種々の組合せが考えられる。
【００５３】
第１種特賞状態に関連した抽選動作を開始させるための第１スタート入賞口６を設けると共に、第２種特賞状態に関連した羽根１０ｂの拡開動作を行わせるための第２スタート入賞口７ａ及び７ｂを設けたパチンコ遊技機１を管理対象としたが、それらを１つのスタート入賞口により兼用した構成（当該スタート入賞口へのパチンコ玉の入賞に応じて、第１種特賞状態のための抽選動作及び第２種特賞状態のための羽根１０ｂの短時間拡開動作が行われる構成）のパチンコ遊技機が管理対象であっても良い。
【００５４】
本発明のシステムによる管理対象の遊技機をスロットマシンとすることも可能である。例えば、第１の特賞状態をビッグボーナス、第２の特賞状態を所謂アシストタイム（内部当選した役を入賞させるための情報を遊技者に報知する状態）やチャレンジタイム（リールの滑り制御を中止した状態）とし、アシストタイム中にビッグボーナスが発生した場合は、その発生時点でアシストタイムを無効化してビッグボーナスに切り替える構成のスロットマシンを管理対象とした場合、アシストタイムが無効化されたときでもそのアシストタイム１回当たりの平均稼動データを正確に集計管理することが可能になる。
【図面の簡単な説明】
【００５５】
【図１】本発明の一実施例を示すシステム全体の概略的構成図
【図２】パチンコ遊技機の概略的な正面図
【図３】第１特賞信号及び第２特賞信号の出力パターンを示すタイミングチャート
【図４】管理コンピュータの制御内容を示すフローチャートその１
【図５】管理コンピュータの制御内容を示すフローチャートその２
【図６】管理コンピュータの制御内容を示すフローチャートその３
【図７】特賞履歴データを帳票出力する際のフォーマット例を示す図
【図８】累計稼動データを帳票出力する際のフォーマット例を示す図
【符号の説明】
【００５６】
１はパチンコ遊技機、６は第１スタート入賞口、７ａ、７ｂは第２スタート入賞口、８は大型入賞口、９は複合役物、１０はセンター役物、１０ｂは羽根、１０ｃはＶゾーン、１１は図柄表示部、１６は管理コンピュータ（第１集計手段、第２集計手段、検出手段、演算手段）を示す。
【図１】
0004693025.tif 000002
【図２】
0004693025.tif 000003
【図３】
0004693025.tif 000004
【図４】
0004693025.tif 000005
【図５】
0004693025.tif 000006
【図６】
0004693025.tif 000007
【図７】
0004693025.tif 000008
【図８】
0004693025.tif 000009